(57)【要約】【課題】複数の検索インターフェースのうちユーザの嗜好にあった検索インターフェースを優先的に表示させることが可能な情報提供装置、情報提供プログラム、及び情報提供方法を提供する。【解決手段】本発明は、端末装置のユーザから検索条件を受け付けるための検索インターフェースを提供する情報提供装置であって、複数の検索方法のそれぞれに対応する検索インターフェースの画面を構成するためのデータを記憶する記憶手段と、前記ユーザの検索行動履歴を含む履歴情報を取得する履歴情報取得手段と、前記取得された履歴情報に基づいて、複数の前記検索インターフェースのうちから前記ユーザに応じた前記検索インターフェースを選択する選択手段と、前記選択された検索インターフェースの画面が所定の表示位置に表示される画面データを、前記端末装置に送信する送信手段と、を備える。【選択図】図５
2011053837.tif 000002
【特許請求の範囲】
【請求項１】
端末装置のユーザから検索条件を受け付けるための検索インターフェースを提供する情報提供装置であって、
複数の検索方法のそれぞれに対応する検索インターフェースの画面を構成するためのデータを記憶する記憶手段と、
前記ユーザの検索行動履歴を含む履歴情報を取得する履歴情報取得手段と、
前記取得された履歴情報に基づいて、複数の前記検索インターフェースのうちから前記ユーザに応じた前記検索インターフェースを選択する選択手段と、
前記選択された検索インターフェースの画面が所定の表示位置に表示される画面データを、前記端末装置に送信する送信手段と、
を備えることを特徴とする情報提供装置。
【請求項２】
請求項１に記載の情報提供装置において、
前記ユーザの属性情報を取得する属性情報取得手段を備え、
前記選択手段は、前記取得された属性情報に基づいて、複数の前記検索インターフェースのうちから前記ユーザに応じた前記検索インターフェースを選択することを特徴とする情報提供装置。
【請求項３】
請求項１に記載の情報提供装置において、
前記選択された検索インターフェースに設けられた検索条件設定欄に表示される初期値を前記履歴情報に基づいて設定する設定手段を備え、
前記送信手段は、前記設定手段により初期値が設定された検索インターフェースが所定の表示位置に表示される画面データを前記端末装置に送信することを特徴とする情報提供装置。
【請求項４】
端末装置のユーザから検索条件を受け付けるための検索インターフェースを提供するコンピュータにより実行される情報提供方法であって、
複数の検索方法のそれぞれに対応する検索インターフェースの画面を構成するためのデータを記憶するステップと、
前記ユーザの検索行動履歴を含む履歴情報を取得するステップと、
前記取得された履歴情報に基づいて、複数の前記検索インターフェースのうちから前記ユーザに応じた前記検索インターフェースを選択するステップと、
前記選択された検索インターフェースの画面が所定の表示位置に表示される画面データを、前記端末装置に送信するステップと、
を含むことを特徴とする情報提供方法。
【請求項５】
端末装置のユーザから検索条件を受け付けるための検索インターフェースを提供するコンピュータを、
複数の検索方法のそれぞれに対応する検索インターフェースの画面を構成するためのデータを記憶する記憶手段、
前記ユーザの検索行動履歴を含む履歴情報を取得する履歴情報取得手段、
前記取得された履歴情報に基づいて、複数の前記検索インターフェースのうちから前記ユーザに応じた前記検索インターフェースを選択する選択手段、及び、
前記選択された検索インターフェースの画面が所定の表示位置に表示される画面データを、前記端末装置に送信する送信手段として機能させることを特徴とする情報提供プログラム。
【発明の詳細な説明】
【技術分野】
【０００１】
本発明は、端末装置のユーザから検索条件を受け付けるための検索インターフェースの表示画面データを提供する情報提供装置等の技術分野に関する。
【背景技術】
【０００２】
従来から、インターネット上で旅行関連商品の販売や予約等のサービスを提供するＷｅｂサイトが普及している。このようなＷｅｂサイトでユーザが所望の旅行関連商品を探す場合、旅行のニーズ、目的、用途、条件、さらにはユーザの性格や嗜好、商品特性等により、その探し方が人それぞれ異なる場合がある。
【０００３】
特許文献１に開示されたシステムでは、商品購入希望者により指定される所定項目別のキーワードに基づき旅行商品情報を検索可能になっている。ここで、「所定項目別のキーワード」における「項目」としては、例えば、希望する旅行先、予算、希望滞在日数、レジャー等が挙げられている。また「キーワード」としては、前記項目に対応して、例えば、「北海道（行き先）」、「５万円（予算）」、「３泊（日数）」「雪祭り（レジャー）」等が挙げられている。このように所定項目別のキーワードによれば、種々の探し方に対応することができる。
【０００４】
ところで、近年、この種のサービスを提供するＷｅｂサイトとして、複数の検索インターフェースを有するＷｅｂサイトが知られている。各検索インターフェースは、Ｗｅｂページ上の所定の表示領域に配置されるモジュールとなっており、複数の検索方法のそれぞれに対応している。検索インターフェースの例としては、国内旅行テキスト検索、国内旅行地図検索、海外旅行テキスト検索、海外旅行地図検索、国内レンタカー検索などが挙げられる。
【先行技術文献】
【特許文献】
【０００５】
【特許文献１】特開２００３−０３０２８８号公報
【発明の概要】
【発明が解決しようとする課題】
【０００６】
しかしながら、複数の検索インターフェースを有するＷｅｂサイトにおいて、ユーザが所定の検索インターフェースを頻繁に使う場合でも、当該Ｗｅｂサイトの最初のＷｅｂページ上には、固有の検索インターフェースが表示され、例えば、タグ（タブ）の切り替えなどを行わないと所望の検索インターフェースを表示することができなかった。
【０００７】
また、通常のＷｅｂ検索はキーワードを用いた検索が中心であるが、旅行関連商品の場合は、上述したように、ニーズ、目的、商品特性等により様々な検索方法があり、ユーザ毎に、よく利用される検索インターフェース、あまり利用されない検索インターフェースが異なる。
【０００８】
本発明は、以上の点に鑑みてなされたものであり、複数の検索インターフェースのうちユーザの嗜好にあった検索インターフェースを優先的に表示させることが可能な情報提供装置、情報提供プログラム、及び情報提供方法を提供することを課題の一例とする。
【課題を解決するための手段】
【０００９】
上記課題を解決するために、請求項１に記載の発明は、端末装置のユーザから検索条件を受け付けるための検索インターフェースを提供する情報提供装置であって、複数の検索方法のそれぞれに対応する検索インターフェースの画面を構成するためのデータを記憶する記憶手段と、前記ユーザの検索行動履歴を含む履歴情報を取得する履歴情報取得手段と、前記取得された履歴情報に基づいて、複数の前記検索インターフェースのうちから前記ユーザに応じた前記検索インターフェースを選択する選択手段と、前記選択された検索インターフェースの画面が所定の表示位置に表示される画面データを、前記端末装置に送信する送信手段と、を備えることを特徴とする。
【００１０】
請求項２に記載の発明は、請求項１に記載の情報提供装置において、前記ユーザの属性情報を取得する属性情報取得手段を備え、前記選択手段は、前記取得された属性情報に基づいて、複数の前記検索インターフェースのうちから前記ユーザに応じた前記検索インターフェースを選択することを特徴とする。
【００１１】
請求項３に記載の発明は、請求項１に記載の情報提供装置において、前記選択された検索インターフェースに設けられた検索条件設定欄に表示される初期値を前記履歴情報に基づいて設定する設定手段を備え、前記送信手段は、前記設定手段により初期値が設定された検索インターフェースが所定の表示位置に表示される画面データを前記端末装置に送信することを特徴とする。
【００１２】
請求項４に記載の発明は、端末装置のユーザから検索条件を受け付けるための検索インターフェースを提供するコンピュータにより実行される情報提供方法であって、複数の検索方法のそれぞれに対応する検索インターフェースの画面を構成するためのデータを記憶するステップと、前記ユーザの検索行動履歴を含む履歴情報を取得するステップと、前記取得された履歴情報に基づいて、複数の前記検索インターフェースのうちから前記ユーザに応じた前記検索インターフェースを選択するステップと、前記選択された検索インターフェースの画面が所定の表示位置に表示される画面データを、前記端末装置に送信するステップと、を含むことを特徴とする。
【００１３】
請求項５に記載の情報提供プログラムの発明は、端末装置のユーザから検索条件を受け付けるための検索インターフェースを提供するコンピュータを、複数の検索方法のそれぞれに対応する検索インターフェースの画面を構成するためのデータを記憶する記憶手段、前記ユーザの検索行動履歴を含む履歴情報を取得する履歴情報取得手段、前記取得された履歴情報に基づいて、複数の前記検索インターフェースのうちから前記ユーザに応じた前記検索インターフェースを選択する選択手段、及び、前記選択された検索インターフェースの画面が所定の表示位置に表示される画面データを、前記端末装置に送信する送信手段として機能させることを特徴とする。
【発明の効果】
【００１４】
本発明によれば、情報提供装置は、端末装置のユーザの検索行動履歴を含む履歴情報を取得し、取得した履歴情報に基づいて、複数の検索インターフェースのうちから当該ユーザに応じた検索インターフェースを選択し、当該選択した検索インターフェースの画面が所定の表示位置に表示される画面データを端末装置に送信するように構成したので、複数の検索インターフェースをタグで切り替えなどを行わなくても、ユーザの嗜好にあった検索インターフェースや、ユーザによく利用される検索インターフェースを優先的に表示させることができる。  
【図面の簡単な説明】
【００１５】
【図１】本実施形態に係る旅行関連商品取引システムＳの概要構成の一例を示す図である。
【図２】本実施形態に係る旅行関連商品取引サーバ１の概要構成の一例を示すブロック図である。
【図３】各種データベースに登録される内容の一例を示す図である。
【図４】旅行関連商品取引サーバ１とユーザ端末２の処理及び情報のやり取りの一例を示すシーケンス図である。
【図５】Ｍｙページ上の所定の表示位置に、履歴情報に基づき選択された検索インターフェースが組み込まれる様子を示す概念図である。
【図６】検索インターフェースに設けられた各種検索条件設定欄への初期値設定例を示す図である。
【発明を実施するための形態】
【００１６】
以下、図面を参照して本発明の実施形態について説明する。なお、以下に説明する実施の形態は、旅行関連商品取引システムに対して本発明を適用した場合の実施形態である。
【００１７】
［１．旅行関連商品取引システムの構成及び機能概要］
先ず、本発明の一実施形態に係る旅行関連商品取引システムＳの構成及び概要機能について、図１を用いて説明する。
【００１８】
図１は、本実施形態に係る旅行関連商品取引システムＳの概要構成の一例を示す図である。
【００１９】
図１に示すように、旅行関連商品取引システムＳは、旅行関連商品取引サーバ１（情報提供装置の一例）と、ユーザ端末２（端末装置の一例）と、を含んで構成されている。
【００２０】
旅行関連商品取引サーバ１とユーザ端末２は、ネットワークＮＷを介して、例えば、通信プロトコルにＴＣＰ／ＩＰ等を用いて相互にデータの送受信が可能になっている。なお、ネットワークＮＷは、例えば、インターネット、専用通信回線（例えば、ＣＡＴＶ（Community Antenna Television）回線）、移動体通信網（基地局等を含む）、及びゲートウェイ等により構築されている。
【００２１】
旅行関連商品取引サーバ１は、旅行関連商品取引サイトを運営するために設置されたサーバ（Ｗｅｂサーバ、データベースサーバ等）である。
【００２２】
ユーザ端末２は、Ｗｅｂブラウザ機能を有し、旅行関連商品取引サーバ１に例えばＨＴＴＰ（Hyper Text Transfer Protocol）リクエストを送信してそのレスポンスとしてＷｅｂページ等を取得し、ディスプレイ上に表示するようになっている。なお、図１の例では、説明の便宜上、一つのユーザ端末２を示しているが、ユーザ端末２はユーザ毎に多数存在する。また、ユーザ端末２には、例えば、パーソナルコンピュータ、ＰＤＡ（Personal Digital Assistant）、携帯電話機等が適用可能である。
【００２３】
［２. 旅行関連商品取引サーバ１の構成及び機能］
次に、旅行関連商品取引サーバ１の構成及び機能について、図２を用いて説明する。
【００２４】
図２は、本実施形態に係る旅行関連商品取引サーバ１の概要構成の一例を示すブロック図である。
【００２５】
図２に示すように、旅行関連商品取引サーバ１は、通信部１１と、記憶部１２と、入出力インターフェース部１３と、システム制御部１４と、を備えている。そして、システム制御部１４と入出力インターフェース部１３とは、システムバス１５を介して接続されている。
【００２６】
通信部１１は、ネットワークＮＷに接続して、ユーザ端末２との通信状態を制御するようになっている。
【００２７】
記憶部１２は、例えば、ハードディスクドライブ等により構成されており、オペレーティングシステム及びサーバプログラム等の各種プログラムを記憶する。なお、各種プログラムは、例えば、他のサーバ装置等からネットワークＮＷを介して取得されるようにしても良いし、記録媒体に記録されてドライブ装置を介して読み込まれるようにしても良い。
【００２８】
また、記憶部１２（記憶手段の一例）には、旅行関連商品取引サイトからユーザ端末２に提供されるサイト情報を記憶する。ここで、サイト情報は、各種Ｗｅｂページを構成するためのデータ（例えば、ＨＴＭＬ（Hyper Text Markup Language）ファイル、ＸＭＬ(Extensible Markup Language)ファイル等）である。このデータの中には、ユーザから検索条件を受け付けるための検索インターフェースの画面を構成するためのデータが含まれる。本実施形態においては、検索インターフェースは複数種類ある。各検索インターフェースは、複数の検索方法のそれぞれに対応している。また、各検索インターフェースの画面を構成するためのデータには、例えば、固有の検索インターフェースＩＤが付与されている。
【００２９】
また、記憶部１２には、会員データベース（ＤＢ）１２１、認証データベース（ＤＢ）１２２、旅行関連商品データベース（ＤＢ）１２３、及びユーザ履歴データベース（ＤＢ）１２４が構築されている。
【００３０】
図３は、各種データベースに登録される内容の一例を示す図である。
【００３１】
図３（Ａ）に示す会員データベース１２１には、会員登録されたユーザのユーザＩＤ、名称、住所、電話番号、メールアドレス、年齢、性別、及び嗜好等の属性情報（以下、「ユーザ情報」という）が登録されている。ユーザ情報は、ユーザＩＤによってユーザ毎に判別可能になっている。
【００３２】
図３（Ｂ）に示す認証データベース１２２には、ユーザＩＤ、ログインＩＤ、及びパスワードが対応付けられて登録されている。ログインＩＤ及びパスワードは、ログイン処理（ユーザの認証処理）に使用されるログイン情報である。
【００３３】
図３（Ｃ）に示す旅行関連商品データベース１２３には、検索又は購入（予約）対象となる旅行関連商品に関する情報が多数登録されている。各旅行関連商品に関する情報には、例えば、商品ＩＤ、名称、行き先、期間、人数、及び料金等の情報が含まれる。
【００３４】
図３（Ｄ）に示すユーザ履歴データベース１２４には、ユーザＩＤ、及びユーザの検索行動履歴を含む履歴情報が対応付けられて登録されている。ここで、検索行動履歴とは、ユーザからの情報検索指示に応じてユーザ端末２が行う動作の履歴をいう。かかる検索行動履歴には、例えば、旅行関連商品の購入（予約）履歴、閲覧履歴、検索履歴（検索に用いられた検索インターフェースの検索インターフェースＩＤを含む）、検索インターフェース／モジュールの切り替えタグの操作履歴、検索条件設定欄（後述）での設定履歴等が含まれる。
【００３５】
入出力インターフェース部１３は、通信部１１及び記憶部１２とシステム制御部１４との間のインターフェース処理を行うようになっている。
【００３６】
システム制御部１４は、ＣＰＵ（Central Processing Unit）１４ａ、ＲＯＭ（Read Only Memory）１４ｂ、ＲＡＭ（Random Access Memory）１４ｃ等により構成されている。そして、システム制御部１４は、ＣＰＵ１４ａが、ＲＯＭ１４ｂや記憶部１２に記憶された各種プログラムを読み出し実行することにより、ユーザ端末２からのリクエストに応じたＷｅｂページの提供処理、及び、各検索インターフェースに対応する検索方法を用いた旅行関連商品の検索処理（検索エンジンによる処理）等を行う。
【００３７】
更に、システム制御部１４は、本発明の履歴情報取得手段、選択手段、生成手段及び送信手段等として機能する。具体的には、システム制御部１４は、ユーザ端末２のユーザによる検索行動履歴を含む履歴情報を取得し、当該ユーザのユーザＩＤに対応付けてユーザ履歴データベース１２４に登録する。ユーザが会員登録を経てログイン後に検索インターフェースを用いて旅行関連商品を検索する場合、履歴情報は、そのセッションにおけるユーザの検索行動から取得できる。また、検索行動履歴はCookieとしてユーザ端末２に保存されるので、履歴情報はCookieからも取得できる。特に、ユーザが会員登録前に検索インターフェースを用いて旅行関連商品を検索したときの履歴情報は、例えば会員登録時にCookieから取得されることになる。
【００３８】
そして、システム制御部１４は、例えば次回のログイン後（ユーザ特定後）のユーザ端末２への旅行関連商品取引サイトのＷｅｂページの送信に当たって、上記履歴情報に基づいて、複数の検索インターフェースのうちから当該ユーザに応じた検索インターフェースを選択する。例えば、検索履歴に含まれる検索インターフェースＩＤのうち、その数が最も多い検索インターフェースが選択される。または、購入（予約）履歴に含まれる購入された旅行関連商品が国内旅行用が多いか或いは海外旅行用が多いかにより検索インターフェースが選択される。または、検索履歴に含まれる検索インターフェースＩＤのうち、ユーザが初めに選択する頻度が高い検索インターフェースが選択される。なお、システム制御部１４は、会員データベース１２１からユーザ情報を取得し、当該ユーザ情報（或いは、履歴情報とユーザ情報）に基づいて、複数の検索インターフェースのうちから当該ユーザに応じた検索インターフェースを選択するように構成しても良い。
【００３９】
こうして選択された検索インターフェースの画面が所定の表示位置に表示されるＷｅｂページ（画面データの一例）がシステム制御部１４によりユーザ端末２に送信される。
【００４０】
［３．旅行関連商品取引システムの動作］
次に、旅行関連商品取引システムＳの動作について図４を用いて説明する。
【００４１】
図４は、旅行関連商品取引サーバ１とユーザ端末２の処理及び情報のやり取りの一例を示すシーケンス図である。
【００４２】
ユーザ端末２においてＷｅｂブラウザが起動後、ユーザによる操作部の操作により旅行関連商品取引サイトのＵＲＬ（Uniform Resource Locator）が指定され、ユーザ端末２と旅行関連商品取引サーバ１との接続が確立すると、ユーザ端末２から旅行関連商品取引サーバ１へアクセス要求（例えば、ＨＴＴＰ（Hyper Text Transfer Protocol）リクエスト）が送信される（ステップＳ１）。
【００４３】
そして、旅行関連商品取引サーバ１が上記アクセス要求を受信すると、該旅行関連商品取引サーバ１は、旅行関連商品取引サイトのトップ画面のＷｅｂページ（データ）をユーザ端末２に送信する（ステップＳ２）。
【００４４】
ユーザ端末２が旅行関連商品取引サイトのトップ画面のＷｅｂページを受信すると、これをディスプレイ上に表示する（ステップＳ３）。かかるトップ画面上には、旅行関連商品の広告情報及び検索インターフェースの画面が配置されている。会員登録前のユーザが、この検索インターフェースを用いて旅行関連商品を検索すると、そのときの検索行動履歴はCookieとしてユーザ端末２に保存される。
【００４５】
また、旅行関連商品取引サイトのトップ画面上には、会員登録用のＵＲＬが設定された文字列と、ログイン用のＵＲＬが設定された文字列が表示されている。ユーザ端末２のユーザが未だ会員登録していなかった場合、会員登録用のＵＲＬが設定された文字列を操作部により指定（例えばマウスでクリック）するとハイパーリンクによりユーザ端末２から旅行関連商品取引サーバ１に会員情報登録画面の要求がなされる（ステップＳ４）。旅行関連商品取引サーバ１は、会員情報登録画面の要求に応じてユーザ端末２に会員情報登録画面のＷｅｂページを送信する（ステップＳ５）。
【００４６】
ユーザ端末２が会員情報登録画面のＷｅｂページを受信すると、これをディスプレイ上に表示する（ステップＳ６）。かかる会員情報登録画面上には、上述したユーザ情報と、ログインＩＤ及びパスワードを含むログイン情報を入力するための入力欄が表示されている。そして、ユーザが、ユーザ端末２の操作部を操作して、会員情報登録画面上で、ユーザ情報及びログイン情報を入力して送信指示を行うと、ユーザ情報及びログイン情報がユーザ端末２から旅行関連商品取引サーバ１に送信される（ステップＳ７）。このとき、検索行動履歴がCookieとして保存されている場合、ユーザ情報及びログイン情報と共に、検索行動履歴を含む履歴情報がユーザ端末２から旅行関連商品取引サーバ１に送信されることになる。
【００４７】
そして、旅行関連商品取引サーバ１がユーザ情報及びログイン情報等を受信すると、該旅行関連商品取引サーバ１は、受信されたユーザＩＤ等を含むユーザ情報を会員データベース１２１に登録するとともに、受信されたログイン情報を当該ユーザＩＤに対応付けて認証データベース１２２に登録する（ステップＳ８）。なお、ユーザＩＤ、ログインＩＤ及びパスワードの登録に当たっては、複数のユーザ間で重複しないように処理される。
【００４８】
また、旅行関連商品取引サーバ１がユーザ端末２から履歴情報を受信した場合には、受信した履歴情報を上記ユーザＩＤに対応付けてユーザ履歴データベース１２４に登録する。
【００４９】
次いで、旅行関連商品取引サーバ１は、ログイン画面のＷｅｂページをユーザ端末２に送信する（ステップＳ９）。なお、ログイン画面のＷｅｂページは、ユーザの会員登録後、旅行関連商品取引サイトのトップ画面上におけるログイン用のＵＲＬが設定された文字列が当該ユーザにより指定された場合にも、旅行関連商品取引サーバ１からユーザ端末２に送信されることになる。
【００５０】
ユーザ端末２がログイン画面のＷｅｂページを受信すると、これをディスプレイ上に表示する（ステップＳ１０）。かかるログイン画面上には、ログインＩＤ及びパスワードを入力するための入力欄が表示されている。そして、ユーザが、ユーザ端末２の操作部を操作して、ログイン画面上で、ログインＩＤ及びパスワードを入力して送信指示を行うと、当該ログインＩＤ及びパスワードを含むログイン情報がユーザ端末２から旅行関連商品取引サーバ１に送信される（ステップＳ１１）。
【００５１】
そして、旅行関連商品取引サーバ１がログイン情報を受信すると、該旅行関連商品取引サーバ１は、ログイン処理を行い（ステップＳ１２）、ユーザ端末２のユーザ（ユーザＩＤ）を特定する。具体的には、当該ログイン処理では、受信されたログインＩＤとパスワードの組が認証データベース１２２に登録されているか否かが判別され、登録されていれば、ユーザが特定される。
【００５２】
次いで、旅行関連商品取引サーバ１は、ログイン処理により特定されたユーザの履歴情報（当該ユーザのユーザＩＤに対応する履歴情報）をユーザ履歴データベース１２４から取得する（ステップＳ１３）。
【００５３】
次いで、旅行関連商品取引サーバ１は、上記取得した履歴情報に基づいて、上述したように、複数の検索インターフェースのうちから当該ユーザに応じた検索インターフェースを選択する（ステップＳ１４）。
【００５４】
次いで、旅行関連商品取引サーバ１は、特定されたユーザ用のＭｙページを構成するためのデータと、上記選択した検索インターフェースの画面を構成するためのデータとを記憶部１２から取得する。ここで、Ｍｙページとは、例えば、特定されたユーザに対応するユーザ情報に基づいてカスタマイズされる該ユーザ用Ｗｅｂページである。
【００５５】
次いで、旅行関連商品取引サーバ１は、選択した検索インターフェースの画面が所定の表示位置（検索モジュールの表示位置）に表示されるＭｙページを生成する（ステップＳ１５）。
【００５６】
図５は、Ｍｙページ上の検索モジュールの表示位置に、履歴情報に基づき選択された検索インターフェースが組み込まれる様子を示す概念図である。図５に示す例において、国内旅行を探すための検索（国内旅行テキスト検索）インターフェース５１は、この検索インターフェース５１の利用が多いユーザや、国内旅行が多いユーザ用に選択される。また、海外旅行を探すための検索（海外旅行テキスト検索）インターフェース５２は、この検索インターフェース５２の利用が多いユーザや、海外旅行が多いユーザ用に選択される。また、旅行を地域から探すための検索（国内旅行地図検索）インターフェース５３は、この検索インターフェース５３の利用が多いユーザや、旅行先がいつも異なるユーザ用に選択される。また、旅行をキーワードから探すための検索インターフェース５４は、この検索インターフェース５４の利用が多い（キーワード検索が多い）ユーザ用に選択される。また、旅行を目的・条件から探すための検索インターフェース５５は、この検索インターフェース５５の利用が多いユーザ用に選択される。また、レンタカー予約可能な旅行を探すための検索インターフェース５６は、この検索インターフェース５６の利用が多いユーザ用に選択される。
【００５７】
ここで、旅行関連商品取引サーバ１は、上記取得した履歴情報に基づいて、複数の検索インターフェースを選択し、各検索インターフェースの、Ｍｙページ上における表示位置（表示順序）を変えるように構成してもよい。例えば、利用回数の多い上位３つの検索インターフェースが選択され、利用回数が多い順に画面の上部から下部に配置される。
【００５８】
さらに、選択された検索インターフェースに設けられた検索条件設定欄に表示される初期値を履歴情報に基づき自動設定するように構成してもよい。
【００５９】
図６は、検索インターフェースに設けられた各種検索条件設定欄への初期値設定例を示す図である。図６（Ａ）に示す例では、履歴情報から家族での利用が多いと判断できるユーザ用として、利用人数設定部６１に設けられた利用人数設定欄６１ａに表示される初期値が「４人」（一般用としては１人）に設定されている。また、図６（Ａ）に示す例では、履歴情報から平均利用価格帯が算出できるユーザ用として、料金設定部６２に設けられた料金設定欄６２ａに表示される初期値が「10000」〜「15000」（一般用としては、「制限なし」〜「制限なし」）に設定されている。また、図６（Ｂ）に示す例では、特定のキーワードでの検索が多いユーザ用として、検索キーワード設定欄（入力欄）６３に表示される初期値が上記特定のキーワードである「ファミリー」に設定されている。この構成によれば、ユーザは、表示された検索インターフェースを利用し易くなる。
【００６０】
なお、図６（Ａ）に示す検索インターフェースに設けられた利用人数設定部（設定項目）６１と料金設定部６２の表示位置を履歴情報に基づき変更（この例では、上下逆）するように構成してもよい。つまり、一つの検索インターフェースに複数の設定項目が設けられる場合、上記取得した履歴情報に基づいて、その設定項目の表示位置（表示順序）を変えるように構成してもよい。
【００６１】
そして、旅行関連商品取引サーバ１は、上記生成したＭｙページをユーザ端末２に送信する（ステップＳ１６）。
【００６２】
ユーザ端末２がＭｙページを受信すると、これをディスプレイ上に表示する（ステップＳ１７）。こうして表示されたＭｙページ上には、上記選択された検索インターフェースの画面が表示されることになる。そして、当該ユーザは、こうして表示された検索インターフェースを用いて旅行関連商品を検索し、最終的に旅行関連商品を購入する手続きを行う。
【００６３】
以上説明したように、上記実施形態によれば、旅行関連商品取引サーバ１は、ユーザ端末２のユーザの検索行動履歴を含む履歴情報を取得し、取得した履歴情報に基づいて、複数の検索インターフェースのうちから当該ユーザに応じた検索インターフェースを選択し、当該選択した検索インターフェースの画面が所定の表示位置に表示されるＷｅｂページをユーザ端末２に送信して表示させるように構成したので、複数の検索インターフェースをタグで切り替えなどを行わなくても、ユーザの嗜好にあった検索インターフェースや、ユーザによく利用される検索インターフェースを優先的に表示させることができる。
【００６４】
なお、上記実施形態においては、旅行関連商品取引システムに対して本発明を適用した場合の例について説明したが、その他の情報検索を担うシステムに対して適用することも可能である。
【符号の説明】
【００６５】
１  旅行関連商品取引サーバ
２  ユーザ端末
１１  通信部
１２  記憶部
１３  入出力インターフェース部
１４  システム制御部
１５  システムバス
ＮＷ  ネットワーク
Ｓ  旅行関連商品取引システム
【図１】
2011053837.tif 000003
【図２】
2011053837.tif 000004
【図３】
2011053837.tif 000005
【図４】
2011053837.tif 000006
【図５】
2011053837.tif 000007
【図６】
2011053837.tif 000008